(57)【要約】【課題】ジャム発生時にユーザが操作すべき箇所をわかり易く表示することができる画像形成装置を提供すること。【解決手段】原稿の画像を読み取る原稿読取部７又は画像データを記録紙に記録する記録部１０におけるジャムを検出するジャム検出手段と、該ジャム検出手段がジャムを検出した際に、装置全体の外観を表示する全体画像とジャム解除のために操作すべき箇所付近を拡大した拡大画像とを表示手段に順次表示させる制御を行う制御手段と、を備える。【選択図】      図１
2004240356.tif 000002
【特許請求の範囲】
【請求項１】
原稿の画像を読み取る原稿読取部又は画像データを記録紙に記録する記録部におけるジャムを検出するジャム検出手段と、該ジャム検出手段がジャムを検出した際に、装置全体の外観を表示する全体画像とジャム解除のために操作すべき箇所付近を拡大した拡大画像とを表示手段に順次表示させる制御を行う制御手段と、を備えたことを特徴とする画像形成装置。
【請求項２】
前記拡大画像は、前記操作すべき箇所がその他の部分と識別可能に表示されたものであることを特徴とする請求項１記載の画像形成装置。
【請求項３】
前記全体画像は、前記操作すべき箇所がその他の部分と識別可能に表示されたものであり、前記拡大画像は、前記操作すべき箇所が相異なる表示形態で表示された第１の拡大画像及び第２の拡大画像からなり、前記制御手段は、前記全体画像、第１の拡大画像、及び第２の拡大画像を表示手段に順次表示させる制御を行うことを特徴とする請求項１又は２記載の画像形成装置。
【発明の詳細な説明】
【０００１】
【発明の属する技術分野】
本発明は、画像形成装置に関し、詳しくはジャムが発生した際にユーザが操作すべき箇所を報知する画像形成装置に関するものである。
【０００２】
【従来の技術】
従来、ファクシミリ、コピー及びプリンタ機能を有する複合機が備える画像形成装置では、ジャム（紙詰まり）が発生した際に、その旨を報知すると共にそのジャムに対する対処方法を液晶表示装置等に表示することによりユーザのジャム解除操作を支援している。しかし、単にジャムに対する対処方法をメッセージで表示したのみでは、操作に不慣れなユーザにとってはジャムの発生部位を容易に特定できないため、メッセージに基づいてマニュアル等を見てジャム解除のための操作を行わなければならなかった。
【０００３】
これに対し、図１３に示すように、例えば「前面カバーを開けてください」等のジャムに対する対処方法を示したメッセージ６１を表示すると共に、装置の立体イメージ６２を表示することによりユーザにジャムの発生部位をわかり易く報知する記録装置のユーザインターフェースがある（例えば、特許文献１参照。）。この記録装置のユーザインターフェースによって表示される立体イメージ６２は、図示するようにジャムの発生部位６３を黒塗りし、開放された前面カバー６４の輪郭を太線で描いて強調表示すると共に、前面カバー６４の開く方向を矢印６５によって示したものである。したがって、ユーザはこの立体イメージ６２を見ることにより、ジャムの発生部位６３の位置を容易に把握することができる。
【０００４】
【特許文献１】
特開平４−３５６０７０号公報（第９頁、第１９図）
【０００５】
【発明が解決しようとする課題】
しかしながら、この記録装置のユーザインターフェースによって表示される立体イメージ６２では、ジャムの発生部位６３を表示するために前面カバー６４は本来ユーザが目にする閉じた状態ではなく、開放された状態で表示される。そのため、ユーザがジャム解除のために操作すべき前面カバー６４の取っ手等の位置をこの立体イメージ６２から知ることができず、結局マニュアル等により取っ手等の位置を調べなければならないという問題点がある。
【０００６】
本発明は、上記課題に鑑みてなされたものであって、本発明の目的は、ジャム発生時にユーザが操作すべき箇所をわかり易く表示することができる画像形成装置を提供することである。
【０００７】
【課題を解決するための手段】
上記目的を達成するために、請求項１記載の画像形成装置は、原稿の画像を読み取る原稿読取部又は画像データを記録紙に記録する記録部におけるジャムを検出するジャム検出手段と、該ジャム検出手段がジャムを検出した際に、装置全体の外観を表示する全体画像とジャム解除のために操作すべき箇所付近を拡大した拡大画像とを表示手段に順次表示させる制御を行う制御手段と、を備えたことを特徴としている。
【０００８】
請求項２記載の画像形成装置は、請求項１記載の画像形成装置において、前記拡大画像は、前記操作すべき箇所がその他の部分と識別可能に表示されたものであることを特徴としている。
【０００９】
請求項３記載の画像形成装置は、請求項１又は２記載の画像形成装置において、前記全体画像は、前記操作すべき箇所がその他の部分と識別可能に表示されたものであり、前記拡大画像は、前記操作すべき箇所が相異なる表示形態で表示された第１の拡大画像及び第２の拡大画像からなり、前記制御手段は、前記全体画像、第１の拡大画像、及び第２の拡大画像を表示手段に順次表示させる制御を行うことを特徴としている。
【００１０】
【発明の実施の形態】
以下、本発明の実施の形態に係る画像形成装置をコピー機能、ファクシミリ機能、インターネットファクシミリ機能等を有する複合機に適用した場合について図面に基づいて説明する。図１に示すように、この画像形成装置１は、制御部（ＭＰＵ：Ｍｉｃｒｏｐｒｏｃｅｓｓｉｎｇ  Ｕｎｉｔ）２、ＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４、画像メモリ５、コーデック（ＣＯＤＥＣ：Ｃｏｄｅｒ  ａｎｄ  Ｄｅｃｏｄｅｒ）６、原稿読取部７、操作部８、報知部９、記録部１０、ジャム検出センサ１１、モデム１２、ＮＣＵ（Ｎｅｔｗｏｒｋ  Ｃｏｎｔｒｏｌ  Ｕｎｉｔ）１３、及びＬＡＮ  Ｉ／Ｆ（Ｌｏｃａｌ  Ａｒｅａ  Ｎｅｔｗｏｒｋ  Ｉｎｔｅｒｆａｃｅ）１４を備えたものであって、各部２乃至１４はバス１５によって通信可能に接続されている。
【００１１】
制御部２は、所定のプログラムに従ってこの画像形成装置１を構成する各部を制御するものである。
【００１２】
ＲＯＭ３には、制御部２によりこの画像形成装置１の各部の動作が制御されるための各種プログラムが格納されており、このＲＯＭ３に格納されている各種プログラムに従って動作する制御部２が制御手段として機能する。具体的には、ジャム検出センサ１１からの検出信号に基づいてジャムが発生したか否かを判断するための判断処理プログラムや、ジャムが発生した際に、ユーザが操作すべき箇所をわかり易く報知するための全体画像及び操作すべき箇所付近を拡大した拡大画像を液晶表示装置９ａに順次繰り返し表示させる処理を行うための画像表示処理プログラム等がＲＯＭ３に格納されている。
【００１３】
ＲＡＭ４は、登録されたファクシミリ番号、メールアドレス、一時的に蓄積される諸データ等の記憶部として機能する。また、ジャムが発生した際に、ユーザが操作すべき箇所をわかり易く報知するための全体画像及びユーザが操作すべき箇所付近を拡大した拡大画像がそれぞれＲＡＭ４の所定領域に格納されている。全体画像は、ジャムが発生した際にユーザが操作すべき箇所がどこに位置するのかをわかり易く示すために、ジャム発生時の画像形成装置１の状態、すなわち、カバーや用紙カセットを閉じた状態で装置１の全体の外観を表示したものである。拡大画像は、全体画像において、ジャム発生箇所から詰まった用紙を取り除くために開放しなければならないカバーの開放レバーや用紙カセットの取っ手等の部分を拡大したものである。
【００１４】
画像メモリ５は、原稿読取部７で読み取られた原稿の画像データ、ファクシミリ受信した画像データを一時的に格納する。
【００１５】
コーデック６は、画像データを所定のプロトコルに対応して符号化（エンコード）・復号化（デコード）するものである。コーデック６は、具体的には画像メモリ５に蓄積されている画像データをＭＨ（Ｍｏｄｉｆｉｅｄ  Ｈｕｆｆｍａｎ）、ＭＲ（Ｍｏｄｉｆｉｅｄ  Ｒｅａｄ）、ＭＭＲ（Ｍｏｄｉｆｉｅｄ  Ｍｏｄｉｆｉｅｄ  Ｒｅａｄ）、ＴＩＦＦ（Ｔａｇｇｅｄ  Ｉｍａｇｅ  ＦｉｌｅＦｏｒｍａｔ）方式等により符号化し、受信した画像データを復号化するものである。
【００１６】
原稿読取部７は、自動原稿給送部（ＡＤＦ：Ａｕｔｏｍａｔｉｃ  Ｄｏｃｕｍｅｎｔ  Ｆｅｅｄｅｒ）及びフラットベッド読取部（ＦＢＳ：Ｆｌａｔ  Ｂｅｄ  Ｓｃａｎｎｅｒ）を備えており、ＣＣＤ（Ｃｈａｒｇｅ  Ｃｏｕｐｌｅｄ  Ｄｅｖｉｃｅ）により原稿の画像の読み取りを行う。
【００１７】
操作部８は、ファクシミリ番号、記録部数等を入力するためのテンキー、原稿読取部７に載置された原稿のコピー実行命令及びファクシミリ送信を指示するためのスタートキー、各種設定を行うためのカーソルキー等から構成される操作キーを具備している。
【００１８】
報知部９は、この画像形成装置１の状態に関する情報、各種操作指示入力画面、設定状態、動作状態等を表示する液晶表示装置９ａ、エラー発生時に点灯してその旨を報知するアラームランプ９ｂ、及び各種エラー発生時等に警告音を鳴動してその旨を報知するスピーカ９ｃを具備している。また、液晶表示装置９ａは制御部２の制御命令に従って予めＲＡＭ４に格納されている全体画像及び拡大画像を表示する表示手段として機能する。
【００１９】
記録部１０は、例えば電子写真方式のものからなり、原稿読取部７で読み取られた画像データ、ファクシミリ受信した画像データ等を記録紙に記録する。
【００２０】
ジャム検出センサ１１は、原稿読取部７の自動原稿給送部に載置された原稿が搬送される原稿搬送経路及び記録部１０の備える用紙カセットから搬送される用紙が通過する用紙搬送径路に複数設けられたセンサであり、原稿読取部７又は記録部１０において所定のタイミングで原稿又は用紙が搬送されたか否かを検出するジャム検出手段として機能する。なお、ジャム検出センサ１１は具体的には、マイクロスイッチ、近接センサ、フォトセンサ等で構成することができる。
【００２１】
モデム１２は、例えばＩＴＵ−Ｔ（国際電気通信連合電気通信標準化部門）の勧告Ｖ．３４規格又はこれと同様のものに従った送受信データの変調及び復調を行うものである。ＮＣＵ１３は、電話回線を制御して電話をかけたり切ったりするための回線網制御装置であり、ＰＳＴＮ（Ｐｕｂｌｉｃ  Ｓｗｉｔｃｈｅｄ  Ｔｅｌｅｐｈｏｎｅ  Ｎｅｔｗｏｒｋ）１６に接続されている。
【００２２】
ＬＡＮ  Ｉ／Ｆ１４は、ＬＡＮ（Ｌｏｃａｌ  Ａｒｅａ  Ｎｅｔｗｏｒｋ）１７とのインターフェイスを備えており、この画像形成装置１と同じくＬＡＮ１７に接続されたクライアントＰＣ１８、メールサーバ１９、ルータ２０との通信が可能である。
【００２３】
上記構成を備えた画像形成装置１は、原稿読取部７で読み取った画像データを記録紙に記録するコピー機能のほか、ＰＳＴＮ１６を通じて他のＧ３ファクシミリ装置（不図示）とファクシミリ送受信するファクシミリ機能、インターネット２１を通じて他のインターネットファクシミリ装置等（不図示）と原稿の画像データが添付された電子メールを送受信するインターネットファクシミリ機能を有している。
【００２４】
以下、上記の機能を備える画像形成装置１においてジャムが発生した際に、ユーザがジャム解除のために操作すべき箇所を示した全体画像及び拡大画像を表示するための処理動作について、図２及び図３に示すフローチャートと、図４乃至図１２に示す全体画像及び拡大画像に基づいて説明する。
【００２５】
制御部２は、ジャム検出センサ１１からの検出信号に基づいてジャムが発生したと判断した場合（Ｓ１：ＹＥＳ）、その検出信号を送出したジャム検出センサ１１の位置からジャム発生箇所を特定し、ジャム発生箇所が装置本体内部であるか否かを判断する（Ｓ２）。制御部２は、ジャム発生箇所が装置本体内部であると判断した場合（Ｓ２：ＹＥＳ）、アラームランプ９ｂを点灯させると共にスピーカ９ｃを鳴動させてジャムが発生したことを報知し（Ｓ３）、予めＲＡＭ４の所定領域に格納されている全体画像、トップカバー開放レバー付近を拡大した第１の拡大画像及び第２の拡大画像を読み出し、液晶表示装置９ａに順次繰り返し表示させる（Ｓ４）。
【００２６】
図４乃至図６は、装置本体内部においてジャムが発生した際に液晶表示装置９ａに表示される全体画像及び拡大画像の一例である。図４に示すように、例えば「紙づまりです」等のジャムの発生を報知するためのメッセージ３１と、「トップカバー開放レバーを手前に引いて下さい」等のジャムの解除を行うために必要な操作を報知するためのメッセージ３２が、装置全体の外観を示す全体画像３３と共に液晶表示装置９ａに表示されている。この全体画像３３では、トップカバー３４を開放するためにユーザが最初に操作すべき箇所であるトップカバー開放レバー３５が、他の部分と異なる色、例えば他の部分が白黒表示であるのに対し当該レバー３５が赤や青によって表示されている（以下、かかる表示を「異色表示」という。）。また、トップカバー開放レバー３５の操作方向が矢印３６によって示されている。したがって、全体画像３３を見たユーザは、操作すべきトップカバー開放レバー３５の装置全体に対する位置と、当該レバー３５の操作方向を容易に把握することができる。なお、トップカバー開放レバー３５を異色表示する代わりに、或いは異色表示すると共に反転表示や点滅表示するようにしてもよい。反転表示や点滅表示にすれば、液晶表示装置９ａがカラーの液晶表示装置でなく白黒の液晶表示装置である場合に、その他の部分と識別可能となる。
【００２７】
上記全体画像３３を一定時間表示した後、図５及び図６に示すような第１の拡大画像３７及び第２の拡大画像３８も同じ時間で順次表示される。第１の拡大画像３７は、全体画像３３のトップカバー開放レバー３５付近を拡大した画像である。第２の拡大画像３８は、第１の拡大画像３７と同様にトップカバー開放レバー３５付近を拡大した画像であるが、トップカバー開放レバー３５が異色表示されると共に所定の時間間隔で点滅表示され、併せてトップカバー開放レバー３５の操作方向が矢印３６によって示されている。このような全体画像３３、第１の拡大画像３７、及び第２の拡大画像３８が、液晶表示装置９ａに順次繰り返し表示されることにより、ユーザは、全体画像３３からトップカバー開放レバー３５の装置全体に対する位置を把握し、第１の拡大画像３７及び第２の拡大画像３８からトップカバー開放レバー３５のより正確な位置と当該レバー３５を操作すべき方向を容易に把握することができる。なお、第１の拡大画像３７においてトップカバー開放レバー３５を異色表示や反転表示により表示しないのは、ユーザが目にする装置をそのまま表示するためであり、第１の拡大画像３７と第２の拡大画像３８との対比により、ユーザはトップカバー開放レバー３５の正確な位置をより一層容易に把握することができる。また、第２の拡大画像３８において、トップカバー開放レバー３５は異色表示と共に点滅表示されているが、反転表示により表示したり、異色表示のみ或いは点滅表示のみの表示としてもよい。
【００２８】
なお、本発明の実施の形態では全体画像３３、第１の拡大画像３７、第２の拡大画像３８の順で表示されるようになっているが、全体画像３３、第２の拡大画像３８、第１の拡大画像３７の順で表示されるようにしてもよい。また、全体画像３３、第１の拡大画像３７、及び第２の拡大画像３８の表示時間は特に限定されるものではないが、ユーザが各画像の内容を把握しつつ各画像同士の対比を容易に行うには、１〜５秒程度とするのが好ましく、それぞれの画像毎に表示時間を変えるようにしてもよい。
【００２９】
前記Ｓ４の処理動作に続いて、制御部２はトップカバー３４の開閉を検出するためのセンサ（不図示）からの検出信号に基づいてトップカバー３４が開放されたか否かを判断する（Ｓ５）。トップカバー３４が開放されていないと判断したときには（Ｓ５：ＮＯ）、Ｓ４における全体画像３３、第１の拡大画像３７、及び第２の拡大画像３８を液晶表示装置９ａに再度表示させる。一方、トップカバー３４が開放されたと判断したときには（Ｓ５：ＹＥＳ）、例えば「詰まっている用紙をゆっくりと引き出して下さい」等のトップカバー３４が開放された後にユーザが行うべき操作についてのメッセージを液晶表示装置９ａに表示させる（Ｓ６）。なお、前記メッセージと共に、例えばトップカバー３４が開放され装置本体内部に詰まった用紙が取り除かれる様子を示した画像（不図示）を表示するようにしてもよい。
【００３０】
ユーザによってジャム解除に必要な操作が行われた後、トップカバー３４が閉じられると、制御部２は装置本体内部におけるジャムが解除されたか否かを装置本体内部に設置されているジャム検出センサ１１からの検出信号に基づいて判断し（Ｓ７）、ジャムが解除されていないと判断したときには（Ｓ７：ＮＯ）、前記Ｓ４乃至Ｓ６の処理動作を再度実行する。一方、制御部２はジャムが解除されたと判断したときには（Ｓ７：ＹＥＳ）、他にジャム発生箇所があるか否かを判断し（Ｓ８）、他にジャム発生箇所がなければ（Ｓ８：ＮＯ）、液晶表示装置９ａをジャム発生前の画面に戻し（Ｓ９）、ジャム解除のための処理動作を完了する。なお、ジャムが発生してからジャムが解除されるまでの間は、液晶表示装置９ａはジャム解除に関する画像及びメッセージのみを表示し、コピー条件等の表示は行わない。
【００３１】
一方、制御部２はＳ８において他にジャム発生箇所があると判断した場合（Ｓ８：ＹＥＳ）、或いは前記Ｓ２においてジャム発生箇所が装置本体内部ではないと判断した場合（Ｓ２：ＮＯ）、ジャム発生の検出信号を送出したジャム検出センサ１１の位置からジャム発生箇所が用紙カセット内であるのか、或いは原稿搬送部であるのかを判断する（Ｓ１１）。ジャム発生箇所が用紙カセット内であると判断した場合（Ｓ１１：用紙カセット内）、アラームランプ９ｂを点灯させると共にスピーカ９ｃを鳴動させて用紙カセット内でジャムが発生したことを報知し（Ｓ１２）、予めＲＡＭ４の所定領域に格納されている全体画像、用紙カセットの取っ手付近を拡大した第１の拡大画像及び第２の拡大画像を読み出し、液晶表示装置９ａに順次繰り返し表示させる（Ｓ１３）。
【００３２】
図７乃至図９は、用紙カセット４１内でジャムが発生した際に液晶表示装置９ａに順次繰り返し表示される全体画像４０、第１の拡大画像４６、及び第２の拡大画像４７の一例である。図７に示すように、例えば「紙づまりです」等のジャムの発生を報知するためのメッセージ４４と、「用紙カセット２をゆっくりと引き出して下さい」等のジャムの解除を行うために必要な操作を報知するためのメッセージ４５が、装置全体の外観を示す全体画像４０と共に表示されている。全体画像４０は、用紙カセット４１内で発生したジャムを解除するために引き出さなければならない用紙カセット４１がその取っ手４２の部分を除いて異色表示され、併せて取っ手４２の操作方向が矢印４３によって示された画像である。なお、ここではユーザにジャムが発生した用紙カセット４１の位置を報知するために、用紙カセット４１の取っ手４２ではなく用紙カセット４１を異色表示しているが、図４に示したトップカバー開放レバー３５のように、ユーザが操作すべき箇所である取っ手４２の部分を異色表示や反転表示するようにしてもよい。第１の拡大画像４６は、用紙カセット４１の取っ手４２付近が拡大された画像であり、全体画像４０と同様に用紙カセット４１がその取っ手４２の部分を除いて異色表示された画像である。第２の拡大画像４７は、用紙カセット４１の取っ手４２が異色表示されると共に所定の時間間隔で点滅表示され、併せてその操作方向が矢印４３によって示されている。これらの全体画像４０、第１の拡大画像４６、及び第２の拡大画像４７が液晶表示装置９ａに順次表示されることにより、ユーザは、全体画像４０から用紙カセット４１の装置全体に対する位置を把握し、第１の拡大画像４６と第２の拡大画像４７から用紙カセット４１を引き出すために操作しなければならない取っ手４２の正確な位置とその操作方向を容易に把握することができる。
【００３３】
なお、第１の拡大画像４６では第１の拡大画像４６と第２の拡大画像４７との対比により、取っ手４２の正確な位置をより一層容易に把握し易くするために、用紙カセット４１を異色表示しているが、異色表示や反転表示等を行わず、図５に示した第１の拡大画像３７と同様、ユーザが目にする装置をそのまま表示するようにしてもよい。また、第２の拡大画像４７は、取っ手４２が異色表示と共に点滅表示されているが、反転表示により表示したり、異色表示のみ或いは点滅表示のみの表示としてもよい。
【００３４】
また、全体画像４０、第１の拡大画像４６、及び第２の拡大画像４７の表示時間は特に限定されるものではないが、ユーザが各画像の内容を把握しつつ各画像同士の対比を容易に行うには、１〜５秒程度とするのが好ましく、それぞれの画像毎に表示時間を変えるように設定してもよい。また、表示の順序を変えて全体画像４０、第２の拡大画像４７、第１の拡大画像４６の順で表示するようにしてもよい。
【００３５】
前記Ｓ１３の処理動作に続いて、制御部２はユーザによって用紙カセット４１が引き出されたか否かを用紙カセット４１の開閉を検出するためのセンサ（不図示）による検出信号に基づいて判断し（Ｓ１４）、用紙カセット４１が引き出されたと判断した場合（Ｓ１４：ＹＥＳ）、例えば「詰まっている用紙を取り除いて下さい」等の用紙カセット４１が引き出された後にユーザが行うべき操作についてのメッセージを液晶表示装置９ａに表示させる（Ｓ１５）。そして、制御部２は、ユーザによってジャム解除のための操作が行われて用紙カセット４１が元に戻された際に、用紙カセット４１内におけるジャムが解除されたか否か、すなわち詰まっていた用紙が取り除かれたか否かを、用紙カセット４１の所定の部分に設置されているジャム検出センサ１１からの検出信号に基づいて判断し（Ｓ１６）、用紙カセット４１内のジャムが解除されたと判断した場合（Ｓ１６：ＹＥＳ）、液晶表示装置９ａをジャム発生前の画面に戻し（Ｓ９）、ジャム解除のための処理動作を完了する。なお、制御部２は用紙カセット４１内のジャムが解除されていないと判断した場合（Ｓ１６：ＮＯ）、前記Ｓ１３乃至Ｓ１５の処理動作を再度実行する。
【００３６】
制御部２は、前記Ｓ１１において、ジャム発生箇所が原稿読取部７の原稿搬送経路であると判断した場合（Ｓ１１：原稿搬送経路）、アラームランプ９ｂを点灯させると共にスピーカ９ｃを鳴動させて原稿搬送経路でジャムが発生したことを報知し（Ｓ１７）、ＲＡＭ４の所定領域から全体画像、原稿カバー開放レバー付近を拡大した第１の拡大画像及び第２の拡大画像を読み出し、液晶表示装置９ａに順次繰り返し表示させる（Ｓ１８）。図１０乃至図１２は、原稿搬送経路においてジャムが発生した際に、液晶表示装置９ａに表示される全体画像及び拡大画像の一例である。図１０に示すように、例えば「原稿がつまりました」等のジャムの発生を報知するためのメッセージ５０と、「原稿カバー開放レバーを押し上げて下さい」等の原稿カバー４９を開放するために必要な操作を報知するためのメッセージ５１が、装置全体の外観を示す全体画像４８と共に表示されている。この全体画像４８では、ジャムを解除するために開放すべき原稿カバー４９が異色表示されているが、反転表示や点滅表示するようにしてもよい。
【００３７】
上記全体画像４８を一定時間表示した後、図１１及び図１２に示すような第１の拡大画像５２及び第２の拡大画像５４も同じ時間で順次表示される。第１の拡大画像５２は、原稿カバー４９の原稿カバー開放レバー５３付近を拡大した画像である。第２の拡大画像５４は、第１の拡大画像５２と同様に原稿カバー開放レバー５３付近を拡大した画像であり、当該レバー５３は異色表示されると共に所定の時間間隔で点滅表示され、併せてその操作方向が矢印５５によって示されている。したがって、これらの全体画像４８、第１の拡大画像５２、及び第２の拡大画像５４が液晶表示装置９ａに順次繰り返し表示されることにより、ユーザは、全体画像４８から原稿カバー４９の装置全体に対する位置を把握し、第１の拡大画像５２及び第２の拡大画像５４から原稿カバー４９を開放するために操作しなければならない原稿カバー開放レバー５３の正確な位置とその操作方向を容易に把握することができる。なお、第２の拡大画像５４は、原稿カバー開放レバー５３が異色表示と共に点滅表示されているが、反転表示により表示したり、異色表示のみ或いは点滅表示のみの表示としてもよい。
【００３８】
また、全体画像４８、第１の拡大画像５２、及び第２の拡大画像５４の表示時間は特に限定されるものではないが、一般的ユーザが各画像の内容を把握しつつ各画像同士の対比を容易に行うには、１〜５秒程度とするのが好ましく、それぞれの画像毎に表示時間を変えるように設定してもよい。また、表示の順序を変えて全体画像４８、第２の拡大画像５４、第１の拡大画像５２の順で表示するようにしてもよい。
【００３９】
前記Ｓ１８の処理動作に続いて、制御部２はユーザによって原稿カバー４９が開放されたか否かを原稿カバー４９の所定の位置に設置された原稿カバー４９の開閉を検出するためのセンサ（不図示）からの検出信号に基づいて判断し（Ｓ１９）、原稿カバー４９が開放されたと判断した場合（Ｓ１９：ＹＥＳ）、例えば「詰まっている原稿をゆっくりと引き出して下さい」等の原稿カバー４９が開放された後にユーザが行うべき操作についてのメッセージを液晶表示装置９ａに表示させる（Ｓ２０）。そして、制御部２は、ユーザによってジャム解除のための操作が行われて原稿カバー４９が閉じられた際に、原稿搬送経路に設置されたジャム検出センサ１１からの検出信号に基づいて原稿搬送経路におけるジャムが解除されたか否かを判断し（Ｓ２１）、ジャムが解除されたと判断した場合（Ｓ２１：ＹＥＳ）、液晶表示装置９ａをジャム発生前の画面に戻し（Ｓ９）、ジャム解除のための処理動作を完了する。なお、制御部２はジャムが解除されていないと判断した場合は（Ｓ２１：ＮＯ）、前記Ｓ１８乃至Ｓ２０の処理動作を再度実行する。
【００４０】
【発明の効果】
請求項１記載の画像形成装置によれば、ジャムが発生した際に、装置全体の外観を示した全体画像とジャムを解除するために操作すべき箇所付近を拡大した拡大画像とが表示手段により順次表示されるので、ユーザは全体画像から操作すべき箇所の装置全体に対する位置を把握すると共に、拡大画像から操作すべき箇所の正確な位置を容易に把握することができる。
【００４１】
請求項２記載の画像形成装置によれば、ユーザが操作すべき箇所を拡大した拡大画像において、ユーザが操作すべき箇所がその他の部分と識別可能となるように異色表示や点滅表示等により表示され、併せてその操作方向が矢印によって示されているので、ユーザはその拡大画像を見て操作すべき箇所の正確な位置とその操作方向をより容易に把握することができる。
【００４２】
請求項３記載の画像形成装置によれば、装置全体の外観を示した全体画像と、操作すべき箇所の表示形態が異なる第１の拡大画像と第２の拡大画像が順次表示されるので、ユーザは、全体画像からジャムが発生した際に操作すべき箇所の装置全体に対する位置を把握し、第１の拡大画像及び第２の拡大画像の対比から操作すべき箇所のより正確な位置とその操作方向をより一層容易に把握することができ、ジャム解除の操作に不慣れなユーザであっても、ジャム解除の操作を容易に行うことができる。
【図面の簡単な説明】
【図１】本発明の実施の形態に係る画像形成装置の構成を示すブロック図である。
【図２】ジャムが発生した際に行われる処理動作を示したフローチャートである。
【図３】ジャムが発生した際に行われる処理動作を示したフローチャートである。
【図４】装置本体内部でジャムが発生した際に液晶表示装置に表示される全体画像を示した図である。
【図５】装置本体内部でジャムが発生した際に液晶表示装置に表示される第１の拡大画像を示した図である。
【図６】装置本体内部でジャムが発生した際に液晶表示装置に表示される第２の拡大画像を示した図である。
【図７】用紙カセット内でジャムが発生した際に液晶表示装置に表示される全体画像を示した図である。
【図８】用紙カセット内でジャムが発生した際に液晶表示装置に表示される第１の拡大画像を示した図である。
【図９】用紙カセット内でジャムが発生した際に液晶表示装置に表示される第２の拡大画像を示した図である。
【図１０】原稿搬送部においてジャムが発生した際に液晶表示装置に表示される全体画像を示した図である。
【図１１】原稿搬送部においてジャムが発生した際に液晶表示装置に表示される第１の拡大画像を示した図である。
【図１２】原稿搬送部においてジャムが発生した際に液晶表示装置に表示される第２の拡大画像を示した図である。
【図１３】従来の記録装置のユーザインターフェースにおいて、ジャム発生時に表示される立体イメージを示した図である。
【符号の説明】
１  画像形成装置
２  制御部
３  ＲＯＭ
４  ＲＡＭ
７  原稿読取部
９ａ  液晶表示装置
１０  記録部
１１  ジャム検出センサ
３３、４０、４８  全体画像
３６、４３、５５  矢印
３７、４６、５２  第１の拡大画像
３８、４７、５４  第２の拡大画像
【図１】
2004240356.tif 000003
【図２】
2004240356.tif 000004
【図３】
2004240356.tif 000005
【図４】
2004240356.tif 000006
【図５】
2004240356.tif 000007
【図６】
2004240356.tif 000008
【図７】
2004240356.tif 000009
【図８】
2004240356.tif 000010
【図９】
2004240356.tif 000011
【図１０】
2004240356.tif 000012
【図１１】
2004240356.tif 000013
【図１２】
2004240356.tif 000014
【図１３】
2004240356.tif 000015